(57)【要約】      （修正有）【課題】背板と側板との相対位置の位置決めをより確実に行えるようにしつつ、側板の背板に対する取り付けを容易に行うことができるようにする。【解決手段】後端に設けてなる後折り返し部２２及びこの後折り返し部２２の前方に設けた後補強材２３を有する側板２と、この側板２の後折り返し部２３を収納可能な背補強部１２及びこの背補強部１２近傍から前方に起立して設けた係合突起１３を有する背板１とを具備する収納家具において、前記係合突起１３が、前方に起立する起立部と、この起立部の先端から斜め後方に延伸して設けた斜面部とを有し弾性変形可能なものであるとともに、前記後補強材２３の後面が後外方に向かう傾斜を有し、この後補強材２３の後面と前記係合突起１３の斜面部とを係合させた状態で前記係合突起１３が弾性力により側板２を内前方に付勢する構成を採用する。【選択図】図１３
2008188353.tif 000002
【特許請求の範囲】
【請求項１】
後端に設けてなる折り返し部及びこの折り返し部の前方に設けた補強材を有する側板と、この側板の折り返し部を収納可能な背補強部及びこの背補強部近傍から前方に起立して設けた係合突起を有する背板とを具備するものであって、前記係合突起が、前方に起立する起立部と、この起立部の先端から斜め後方に延伸して設けた斜面部とを有し弾性変形可能なものであるとともに、前記補強材の後面が後外方に向かう傾斜を有し、この補強材の後面と前記係合突起の斜面部とを係合させた状態で前記係合突起が弾性力により側板を内前方に付勢することを特徴とする収納家具。
【請求項２】
前記背補強部が外向面及び後向面を有するとともに、前記折り返し部が前記外向面に当接可能な内向面を有し、さらに前記補強材又は折り返し部が前記後向面に当接可能な前向面を有することを特徴とする請求項１記載の収納家具。
【請求項３】
外部から作用を受けない状態における前記係合突起の前記起立部と前記斜面部との間の角度を、前記側板の面板部と前記補強材の後面との間の角度よりも大きくしていることを特徴とする請求項１又は２記載の収納家具。
【請求項４】
前記係合突起を、背板の高さ寸法の略全域に亘って設け前記補強材の後面と係合させるようにしていることを特徴とする請求項１、２又は３記載の収納家具。
【請求項５】
前記補強材が、棚取付孔を有することを特徴とする請求項１、２、３又は４記載の収納家具。
【請求項６】
面板部、この面板部の一側端に設けてなる折り返し部、及びこの折り返し部近傍に配してなる補強材を有する第１の部材と、面板部、この面板部の側方に起立させて設けられ前記第１の部材の折り返し部を収納可能な起立補強部、及びこの起立補強部近傍から起立して設けた係合突起を有する第２の部材とを具備するものであって、前記係合突起が、第１の部材の面板部に平行に起立する起立部と、この起立部の先端から第１の部材と離間し第２の部材の面板部に向かう方向に延伸して設けた斜面部とを有し弾性変形可能なものであるとともに、前記補強材の一側面が第１の部材の面板部に向かう傾斜を有し、この補強材の一側面と前記係合突起の斜面部とを係合させた状態で前記係合突起が弾性力により第１の部材の折り返し部を第２の部材に圧着させるべく付勢することを特徴とする収納家具。
【発明の詳細な説明】
【技術分野】
【０００１】
本発明は、２つの部材の端縁同士を係合させてなる収納家具に関する。
【背景技術】
【０００２】
従来、例えば、前面に開口を有する家具本体と、その前面開口に設けた複数枚の戸板又は回転扉とを備えた収納家具において、家具本体の周壁を構成する壁体である背板と側板とを取り付ける構造としては、ビスにより結合して取り付けているものや、蝶番を介して取り付けているものがある（例えば特許文献１参照）。この種の部品を用いて背板と側板とを取り付けるには、先ず、ビスや蝶番の締着位置が位置ずれしないように、背板と側板との相対位置をある程度厳密に位置決めし、その後、ビスや蝶番を背板及び側板に取り付けることによって、背板と側板とを取り付けるようにしている。
【０００３】
また、背板と側板とを取り付ける際に、これらの相対位置の位置決めを簡素にすべく、また、両部材を位置決めした上でさらにビス止め等を行う手間を軽減させるべく、前記背板または前記側板の一方に形成した係合部を、他方に設けた被係合部に引っ掛けることにより背板の側端部と側板の後端部とを略密接させる構成が考えられている（例えば特許文献２参照）。
【特許文献１】特開平５−３１００９号公報
【特許文献２】特開２００４−２９８４９３号公報
【発明の開示】
【発明が解決しようとする課題】
【０００４】
ところが、特許文献２記載の構成では、前記係合部と前記被係合部とを単に係合させているだけであり、側板の後端部に対して外前方に向かう強い作用が加えられると側板と背板とが離間してしまう不具合が存在する。また、係合部と被係合部とを係合させる際に被係合部の開口部から係合部を挿入する操作を行う必要があるが、この操作を行うには側板を把持した状態で係合部の先端と被係合部付近とを接近させる操作を行う必要があり、この操作が面倒と感じられる不具合も存在する。
【０００５】
本発明は、以上に述べた課題を解決すべく構成するものである。
【課題を解決するための手段】
【０００６】
すなわち本発明に係る収納家具は、後端に設けてなる折り返し部及びこの折り返し部の前方に設けた補強材を有する側板と、この側板の折り返し部を収納可能な背補強部及びこの背補強部近傍から前方に起立して設けた係合突起を有する背板とを具備するものであって、前記係合突起が、前方に起立する起立部と、この起立部の先端から斜め後方に延伸して設けた斜面部とを有し弾性変形可能なものであるとともに、前記補強材の後面が後外方に向かう傾斜を有し、この補強材の後面と前記係合突起の斜面部とを係合させた状態で前記係合突起が弾性力により側板を内前方に付勢することを特徴とする。
【０００７】
このようなものであれば、前記付勢力により側板を内前方に付勢することで、背補強部に折り返し部を圧着させ、背板と側板との相対位置の位置決めをより確実に行うようにできる。また、側板と背板とを対向させ補強材と係合突起を当接させた状態から側板の先端部を前方に向けて起立させる操作を行うことにより補強材の後面と係合突起の斜面部とを係合させて背板と側板とを相対的に固定できるので、側板の背板に対する取り付けを容易に行うことができるようになる。
【０００８】
側板の背板に対する相対移動をより確実に規制できる態様として、前記背補強部が外向面及び後向面を有するとともに、前記折り返し部が前記外向面に当接可能な内向面を有し、さらに前記補強材又は折り返し部が前記後向面に当接可能な前向面を有するものが挙げられる。このようなものであれば、前記前向面と前記後向面とが圧着するとともに、前記内向面と前記外向面とが圧着し、背板と側板とが面的に結合するからである。
【０００９】
また、係合突起に弾性力を与えるための簡単な構成として、外部から作用を受けない状態における前記係合突起の前記起立部と前記斜面部との間の角度を、前記側板の面板部と前記補強材の後面との間の角度よりも大きくしているものが挙げられる。
【００１０】
さらに、前記係合突起を、背板の高さ寸法の略全域に亘って設け前記補強材の後面と係合させるようにしているものであれば、前記斜面部と前記補強材の後面とを収納家具の高さ寸法の略全域に亘って係合させることにより側板と背板との結合の強度をさらに増すことができる。
【００１１】
そして、前記補強材が、棚取付孔を有するものであれば、側板の内面に棚取付孔を有する補強材を有する従来の収納家具の補強材と同様の取り扱いが可能である。
【００１２】
さらに、本発明に係る他の収納家具は、面板部、この面板部の一側端に設けてなる折り返し部、及びこの折り返し部近傍に配してなる補強材を有する第１の部材と、面板部、この面板部の側方に起立させて設けられ前記第１の部材の折り返し部を収納可能な起立補強部、及びこの起立補強部近傍から起立して設けた係合突起を有する第２の部材とを具備するものであって、前記係合突起が、第１の部材の面板部に平行に起立する起立部と、この起立部の先端から第１の部材と離間し第２の部材の面板部に向かう方向に延伸して設けた斜面部とを有し弾性変形可能なものであるとともに、前記補強材の一側面が第１の部材の面板部に向かう傾斜を有し、この補強材の一側面と前記係合突起の斜面部とを係合させた状態で前記係合突起が弾性力により第１の部材の折り返し部を第２の部材に圧着させるべく付勢することを特徴とする。
【００１３】
このような構成であっても、前記付勢力により第１の部材を付勢することで、起立補強部に折り返し部を圧着させ、第１の部材と第２の部材との相対位置の位置決めをより確実に行うようにできる。また、第１の部材と第２の部材とを対向させ補強材と係合突起を当接させた状態から第１の部材の先端部を起立させる操作を行うことにより補強材の一側面と係合突起の斜面部とを係合させて第１の部材と第２の部材とを相対的に固定できるので、第１の部材の第２の部材に対する取り付けを容易に行うことができるようになる。
【発明の効果】
【００１４】
本発明に係る収納家具の構成によれば、側板等の第１の部材に折り返し部を設けるとともに一側面が傾斜を有する補強材を設け、背板等の第２の部材に面板部から起立する背補強部ないし起立補強部、及び前記補強材の一側面に係合可能な斜面部を有する弾性変形可能な係合突起を設け、第１の部材の折り返し部を第２の部材の背補強部ないし起立補強部に圧着させるべく弾性力により第１の部材を付勢するようにしているので、背板と側板との相対位置の位置決めをより確実に行うようにできる。また、第１の部材と第２の部材とを対向させ補強材と係合突起を当接させた状態から第２の部材の先端部を前方に向けて起立させる操作を行うことにより第１の部材の補強材の後面と第２の部材の係合突起の斜面部とを係合させてこれら２つの部材を相対的に固定できるので、これら２つの部材の取り付けを容易に行うことができる。
【発明を実施するための最良の形態】
【００１５】
以下、本発明の一実施の形態について図面を参照して説明する。
【００１６】
本実施形態に係る収納家具Ｓは、図１〜図３に示すように、背板１と、この背板１の左右両側端から前方に延伸する左右１対の側板２、２と、これら側板２、２の上端部間を接続する天板３と、前記側板２、２の下端部間に位置する底板４と、これら背板１、側板２、２、天板３、及び底板４により区成される収納空間ＳＳとを具備する。なお、前記図１には全体斜視図、図２には正面図、図３には平面図をそれぞれ示している。
【００１７】
前記背板１は、図４の（ａ）に平面図、同図の（ｂ）に正面図をそれぞれ示しているように、また、図５には下後隅部の拡大斜視図を示しているように、金属製の板状の部材であって、面板部１１と、この面板部１１の左右両側端から前方に起立させて設けた背補強部１２と、この背補強部１２から前方に起立させて設けた係合突起１３とを具備する。加えて、前記面板部１１の上端からは上枠部１４、前記面板部１１の下端からは下枠部１５をそれぞれ前方に起立させて設けている。さらに詳述すると、前記背補強部１２は、面板部１１の左右両側端から起立させて設けてなり外向面１２ａを有する外向面部１２１と、この外向面部１２１の先端から外方すなわちこの背板１の幅方向中央に向かう方向と反対方向に延伸させて設けてなり後向面１２ｂを有する後向面部１２２とを有する。一方、前記係合突起１３は、本実施形態では前記後向面部１２２の先端から前方に起立する起立板部１３１と、この起立板部１３１から後内方に延設した斜面部１３２とを有する。これら背補強部１２及び係合突起１３は、この背板１の高さ寸法の略全域に亘って設けている。具体的には、前記背補強部１２は背板１を形成すべき金属板の両側縁を前方に起立させて設けている。一方、前記係合突起１３は、前記背補強部１２の上下両端近傍を除く略全域において金属板を切り起こして設けている。
【００１８】
前記側板２は、図６の（ａ）に平面図、同図の（ｂ）に内側面図をそれぞれ示しているように、また、図７には下後隅部の拡大斜視図を示しているように、面板部２１と、前記面板部２１の後端に設けた後折り返し部２２と、前記後折り返し部２２の前方に設けた後補強材２３と、前記面板部２１の前端近傍に設けた前補強材２５とを少なくとも有する。さらに、前記面板部２１の上端からは上枠部２６、前記面板部２１の下端からは下枠部２７をそれぞれ前方に起立させて設けている。さらに詳述すると、前記後折り返し部２２は、面板部２１の後端から内方に起立する起立部２２１と、この起立部２２１の先端から延伸し面板部２１に対向する対向部２２２とを具備する。この対向部２２２の面板部２１に対向する側と反対側の面は、この収納家具Ｓの幅方向側を向く内向面２２２ａである。また、この対向部２２２と前記面板部２１との間には隙間２ｘを設けている。そして、この後折り返し部２２は、前記背補強部１２の後方に収納可能である。一方、前記後補強材２３は、面板部２１に対向する対向部２３１と、この対向部２３１の前端から面板部２１に向かう前面部２３２と、前記対向部２３１の後端から面板部２１に向かう後面部２３３と、この後面部２３３の後方で面板部２３１に平行に取り付けられる取付部２３４と、この取付部２３４の後端から起立する前向面部２３５とを有する。この前向面部２３５の外面を、前向面２３５ａとしている。そして、この後面部２３３の表面すなわち後補強材２３の後面２３ａは、外方、すなわち面板部２１に向かう側に傾斜していて、図８及び図９に示すように、この後補強材２３の後面２３ａと面板部２１との間の空間に前記係合突起１３の先端部を収納可能にしている。前記空間に前記係合突起１３の先端部を収納すると、この係合突起１３の斜面部が弾性変形し、側板２を前内方に付勢する。具体的には、外部から作用を受けない状態における前記係合突起１３の前記起立部１３１と前記斜面部１３２との間の角度を、図９の想像線に示すように、面板部２１とこの後補強材２３の後面２３ａとの間の角度よりも大きくしていて、前記斜面部１３２と後補強材２３の後面２３ａとが係合した際に、係合突起１３の斜面部１３２が弾性力により後補強材２３の後面２３ａを前内方に押圧するようにしている。その際、後折り返し部２２が背板１の背補強部１２に圧着され、側板２が背板１に引き寄せられる。そして、前記前補強材２５は、従来のこの種の収納家具内部に設けられる補強材と同様の構成を有する。また、前記後補強材２３及び前記前補強材２５の上端と前記上枠部２６との間の空間に天板３、前記後補強材２３及び前記前補強材２５の下端と前記下枠部２７との間の空間に底板４を挿入可能にしているとともに、前記後補強材２３及び前記前補強材２５は、この側板２の高さ寸法の略全域、具体的には天板３の下面から底板４の上面に至る領域の全域に亘って延伸している。加えて、後補強材２３及び前補強材２５には、棚等のオプション部材を取り付け可能にすべく棚取付孔２３ｚ、２５ｚを設けている。
【００１９】
前記天板３は、図１０の（ａ）に側面図、同図の（ｂ）に底面図をそれぞれ示しているように、面板部３１と、この面板部３１の下方に設けられる補強材３２とを具備する。この天板３の補強材３２は金属製のパイプ状の部材であって、前記側板２の前補強材２５に以下に述べるような機構で接合するようにしている。前記側板２の前補強材２５の上端近傍からは、前記図３及び図６に示すように、前後１対の係止爪２５１、２５１を内方に突出させている。これら係止爪２５１、２５１は天板３の補強材３２の内部に挿入するようにしている。また、前記係止爪２５１、２５１の基端部間には、内下方を向く板状の係止板２５２を設けている。さらに、補強材３２内部にも、内下方を向く板状の係止板３２１を設けている。補強材３２の係止板３２１にはねじ挿通孔３２１ｘ、側板２側の係止板２５２には雌ねじ孔２５２ｘをそれぞれ設けている。そして、これらねじ挿通孔３２１ｘ及び雌ねじ孔２５２ｘを重合させた状態で、雄ねじ（図示略）を前記雌ねじ孔２５２ｘに螺合させる際の締着力により側板２を天板３に引き寄せるようにしている。
【００２０】
前記底板４は、図１１の（ａ）に側面図、同図の（ｂ）に底面図をそれぞれ示しているように、面板部４１と、この面板部４１の下方に設けられた補強材４２とを具備する。この底板の面板部４１は、後端部に前記側板２の折り返し部２２を収納可能な凹部４１ｘを有し、図１２及び図１３に示すように、この凹部４１ｘの外方に設けた突片たる突起部４１１を側板２の折り返し部２２と面板部２１との間に配するようにしている。その際、前記側板２の後補強材２３の下端を、この底板４の上面に近接ないし当接させるようにしている。また、この底板４の補強材４２は金属製のパイプ状の部材である。一方、前記側板２の前補強材２５の下端近傍からは、前後１対の係止爪２５３、２５３を内方に突出させている。これら係止爪２５３、２５３は底板４の補強材４２の内部に挿入するようにしている。ここで、この係止爪２５３、２５３間の距離は、前記底板４の補強材４２の内法幅寸法に略一致させている。また、前記係止爪２５３、２５３の下縁部間には、雌ねじ孔２５４ｘを有する係止板２５４を設けている。そして、底板４の補強材４２には、前記雌ねじ孔２５４ｘに重合させてなるねじ挿通孔４２ｘ、側板２側の係止板２５４には雌ねじ孔２５４ｘをそれぞれ設けている。そして、これらねじ挿通孔４２ｘ及び雌ねじ孔２５４ｘを重合させた状態で、雄ねじ（図示略）を前記雌ねじ孔２５４ｘに螺合させ、側板２と底板４とを締着するようにしている。
【００２１】
この収納家具Ｓの組立手順、及び各部間の作用について以下に述べる。
【００２２】
まず、背板１と、側板２、２とを、背板１の内面と側板２、２の内面とを対向させた状態で配する。それから、側板２の後補強材２３の後面２３ａと、背板１の係合突起１３とを当接させる。次いで、これら後補強材２３の後面２３ａと係合突起１３とを当接させたまま、この当接部位を軸として側板２、２を９０度回転させ、前記図８及び図９に示すように後補強材２３の後面２３ａと係合突起１３の傾斜面１３２とを係合させる。この状態で、前記係合突起１３は弾性復原力を後補強材２３の後面２３ａに作用させている。また、側板２の後折り返し部２２は、背板１の背補強部１２の後方に位置し、前記係合突起１３からの作用により背補強部に圧着されている。すなわち、この後折り返し部２２の対向部２２２の内向面２２２ａが、背補強部１２の外向面１２ａに圧着される。さらに、前記後補強材２３の前向面部２３５の前向面２３５ａは、背補強部１２の後向面１２ｂに圧着される。
【００２３】
その後、前記図１２及び図１３に示すように、底板４の突起部４１１を側板２の折り返し部２２と面板部２１との間に挿入させつつこの底板４の後部を側板２の下枠部２７と後補強材２３との間に挿入する。さらに、前補強材２５の下端側の係止爪２５３、２５３を底板４の補強材４２の内部に挿入し、前記係止爪２５３、２５３間に設けた雌ねじ孔２５４ｘと前記補強材４２のねじ挿通孔４２ｘとを重合させた状態で、雄ねじ（図示略）を前記雌ねじ孔２５４ｘに螺合させ、側板２と底板４とを締着するとともに、この底板４の前部を底板２の下枠部２７と前補強材２５との間に配する。
【００２４】
そして、天板３の後部を側板２の上枠部２６と後補強材２３との間に挿入し、前記図３に示すように側板２の前補強材２５上端側の係止爪２５１、２５１を天板３の補強材３２の内部に挿入し、係止爪２５１、２５１の基端部間に設けた係止板２５２の雌ねじ孔２５２ｘと、天板３の補強材３２内部の係止板３２１のねじ挿通孔３２１ｘとを重合させた状態で、雄ねじ（図示略）を前記雌ねじ孔２５２ｘに螺合させる際の締着力により側板２を天板３に引き寄せて側板２と天板３との相対位置を固定する。
【００２５】
本実施形態に係る収納家具Ｓは、以上に述べたように、側板２が後端部に後折り返し部２２を有するとともに後折り返し部２２の前方に後補強材２３を有し、背板１がこの側板２の折り返し部２２を収納可能な背補強部１２を有するとともにこの背補強部１２近傍から前方に起立して設けた係合突起１３を有するものであって、前記係合突起１３が、弾性変形可能で斜面部１３２を有するとともに、前記後補強材２３の後面が後外方に向かう傾斜を有し、この後補強材２３の後面と前記係合突起１３の斜面部１３２とを係合させた状態で前記係合突起１３が弾性力により側板２を内前方に付勢する。
【００２６】
従って、背補強部１２に折り返し部２２を圧着させ、背板１と側板２との相対位置の位置決めをより確実に行うようにできる。また、側板１と背板２とを対向させ後補強材２３と係合突起１３を当接させた状態から側板２の先端部を前方に向けて起立させる操作を行うことにより後補強材２３の後面と係合突起１３の斜面部１３２とを係合させて背板１と側板２とを相対的に固定できるので、側板２の背板１に対する取り付けを容易に行うことができるようになる。
【００２７】
また、前記背補強部１２が外向面１２ａ及び後向面１２ｂを有するとともに、前記後補強材２３が前記後向面１２ｂに当接可能な前向面２３５ａを有し、さらに前記後折り返し部２２が前記外向面１２ａに当接可能な内向面２２２ａを有するので、前記弾性力により後補強材２３の前向面２３５ａと背補強部１２の後向面１２ｂとが圧着するとともに、後折り返し部２２の内向面２２２ａと背補強部１２の外向面１２ａとが圧着し、側板２の背板１に対する相対移動をより確実に規制できる。
【００２８】
加えて、外部から作用を受けない状態において、前記係合突起１３の前記起立部１３１と前記斜面部１３２との間の角度を、面板部２１とこの後補強材２３の後面２３ａとの間の角度よりも大きくしているので、簡単な構成で係合突起１３が側板に弾性力による作用を与えることができる。
【００２９】
さらに、前記係合突起１３を、背板１の高さ寸法の略全域に亘って設け、前記後補強材２３の後面２３ａと係合させるようにしているので、側板２と背板１との結合の強度をさらに増すことができる。
【００３０】
そして、前記後補強材２３が、棚取付孔２３ｚを有するので、側板２の内面に棚取付孔を有する補強材を有する従来の収納家具の補強材と同様の取り扱いが可能である。
【００３１】
なお、本発明は以上に述べた実施形態に限られない。
【００３２】
例えば、第１の部材たる天板と第２の部材たる背板との接合構造に、上述した実施形態における背板と側板との接合構造と同様のものを採用してもよい。
【００３３】
例えば、上述した実施形態における収納家具を９０度回転させた構成を採用するようにしてもよい。具体的には、天板の後端部には、上述した実施形態における側板と同様の折り返し部及び補強材を具備させ、背板の上端部に、天板の折り返し部を収納可能な起立補強部たる背補強部を面板部から起立させて設けるとともに、この背補強部近傍から弾性変形可能で且つ前記補強材の後面と係合可能な係合突起を前方に起立させて設けてもよい。
【００３４】
また、前記折り返し部に内前方を向く斜面を設けるとともに、背補強部にこの斜面と当接可能な当接斜面を設けるようにしてもよい。
【００３５】
さらに、係合突起の起立部と斜面部との間を大きくする代わりに、起立部の長手寸法を折り返し部と補強材との距離よりも大きくすることにより係合突起と補強材とを係合させた際に係合突起を弾性変形させるようにしてもよい。
【００３６】
加えて、係合突起は、必ずしも高さ方向の略全域に亘って設ける必要はない。
【００３７】
そして、補強材には、棚取付孔に限らず他のオプション部材を取り付けるための孔を穿設してもよく、逆にこのような孔を一切設けないようにしてもよい。
【００３８】
その他、本発明の趣旨を逸脱しない範囲で種々変形が可能である。
【図面の簡単な説明】
【００３９】
【図１】本発明の一実施形態に係る収納家具を示す斜視図。
【図２】同実施形態に係る収納家具を示す正面図。
【図３】同実施形態に係る収納家具を示す平面図。
【図４】同実施形態に係る収納家具の背板を示す平面図及び正面図。
【図５】同実施形態に係る収納家具の背板の下後隅部を示す斜視図。
【図６】同実施形態に係る収納家具の側板を示す平面図及び側面図。
【図７】同実施形態に係る収納家具の側板の下後隅部を示す斜視図。
【図８】同実施形態に係る収納家具の背板と側板との接合部位を示す斜視図。
【図９】図２におけるｘ−ｘ断端面のうち背板と側板との接合部位を拡大して示す図。
【図１０】同実施形態に係る収納家具の天板を示す側面図及び底面図。
【図１１】同実施形態に係る収納家具の底板を示す側面図及び底面図。
【図１２】同実施形態に係る収納家具の背板と側板と底板の接合の態様を示す斜視図。
【図１３】図２におけるｙ−ｙ断端面のうち底板と側板と背板との接合部位を拡大して示す図。
【符号の説明】
【００４０】
Ｓ…収納家具
１…背板
１２…背補強部
１３…係合突起
１３１…起立部
１３２…斜面部
２…側板
２２…後折り返し部
２３…後補強材
２３ａ…後補強材の後面
【図１】
2008188353.tif 000003
【図２】
2008188353.tif 000004
【図３】
2008188353.tif 000005
【図４】
2008188353.tif 000006
【図５】
2008188353.tif 000007
【図６】
2008188353.tif 000008
【図７】
2008188353.tif 000009
【図８】
2008188353.tif 000010
【図９】
2008188353.tif 000011
【図１０】
2008188353.tif 000012
【図１１】
2008188353.tif 000013
【図１２】
2008188353.tif 000014
【図１３】
2008188353.tif 000015